(57)【要約】【課題】ナビゲーション処理に用いられる情報を効率よく取得する。【解決手段】  地上波デジタル放送により番組を提供する放送局は、提供する番組（例えば旅行番組）を特定する番組特定情報（放送局、放送日時等）を送信する。地上波デジタル放送受信機は、受信した番組特定情報を、ナビゲーション装置に受け渡す。ナビゲーション装置は、受け渡された番組特定情報を情報センタに送信する。情報センタは、番組特定情報により特定される番組の内容に関連しかつナビゲーション装置に用いられる情報（旅館の位置情報等）をナビゲーション装置に送信する。ナビゲーション装置は、この情報を利用してナビゲーション処理を行う。【選択図】図１
2005351738.tif 000002
【特許請求の範囲】
【請求項１】
ナビゲーション装置は、地上波デジタル放送の内容に関連する情報であって前記ナビゲーション装置の処理に用いられる情報を保持する情報センタに、放送局と放送日時を特定する番組特定情報を送信し、
前記情報センタは、自己が保持する情報の中から、前記番組特定情報により特定される番組の内容に関する情報であって前記ナビゲーション装置の処理に用いられる情報を抽出し、抽出した情報を前記ナビゲーション装置に送信し、
前記ナビゲーション装置は、前記情報センタから送信された情報を受信する
ことを特徴とするナビゲーション装置の情報受信方法。
【請求項２】
地上波デジタル放送受信機は、地上波デジタル放送の番組を特定する番組特定情報を、ナビゲーション装置に受け渡し、
前記ナビゲーション装置は、地上波デジタル放送の内容に関連する情報であって前記ナビゲーション装置の処理に用いられる情報を保持する情報センタに、前記地上波デジタル放送受信機から受け渡された前記番組特定情報を送信し、
前記情報センタは、自己が保持する情報の中から、前記番組特定情報により特定される番組の内容に関する情報であって前記ナビゲーション装置の処理に用いられる情報を抽出し、抽出した情報を前記ナビゲーション装置に送信し、
前記ナビゲーション装置は、前記情報センタから送信された情報を受信する
ことを特徴とするナビゲーション装置の情報受信方法。
【請求項３】
請求項１または２において、
前記ナビゲーション装置の処理に用いられる情報は、少なくとも地点を特定する情報を含み、
前記ナビゲーション装置は、前記情報センタから受信した地点を特定する情報を用いてナビゲーション処理を行う
ことを特徴とするナビゲーション装置の情報受信方法。
【請求項４】
請求項２において、
前記地上波デジタル放送受信機は、予め定めた条件を満たす番組の番組特定情報を前記ナビゲーション装置に受け渡す
ことを特徴とするナビゲーション装置の情報受信方法。
【請求項５】
請求項２において、
前記地上波デジタル放送受信機は、予め定めた内容の番組の番組特定情報を前記ナビゲーション装置に受け渡す
ことを特徴とするナビゲーション装置の情報受信方法。
【請求項６】
請求項２において、
前記地上波デジタル放送受信機は、登録受付手段を有し、
前記登録受付手段により登録された番組の番組特定情報を前記ナビゲーション装置に受け渡す
ことを特徴とするナビゲーション装置の情報受信方法。
【請求項７】
請求項２において、
前記ナビゲーション装置は、番組選択受付手段を有し、
前記番組選択受付手段により選択された番組の番組特定情報を前記情報センタに送信する
ことを特徴とするナビゲーション装置の情報受信方法。
【請求項８】
請求項７において、
前記放送局は、放送番組の番組名を送信し、
前記地上波デジタル放送受信機は、前記番組名を含めた番組特定情報を、ナビゲーション装置に受け渡し、
前記番組選択受付手段は、前記番組名を表示して、番組の選択を受け付ける
ことを特徴とするナビゲーション装置の情報受信方法。
【請求項９】
請求項７において、
前記地上波デジタル放送受信機は、番組登録受付手段を有し、前記番組登録受付手段により登録を受け付けた場合、その旨の情報を前記ナビゲーション装置に受け渡し、
前記番組選択受付手段は、前記登録受付手段で登録を受け付けたときに放送された番組名とその他の番組名とを異なる態様で表示し、番組の選択を受け付ける
ことを特徴とするナビゲーション装置の情報受信方法。
【請求項１０】
請求項２において、
前記地上波デジタル放送受信機は、登録受付手段を有し、前記番組登録受付手段により登録を受け付けた場合、その旨の情報を前記ナビゲーション装置に受け渡し、
前記ナビゲーション装置は、
前記登録受付手段により登録を受け付けた時刻を前記情報センタに送信し、
前記情報センタは、前記登録を受け付けた時刻に放送された内容に関する情報でかつ前記ナビゲーション装置の処理に用いられる情報を前記ナビゲーション装置に送信する
ことを特徴とするナビゲーション装置の情報受信方法。
【請求項１１】
請求項１または２において、
前記番組特定情報には、有効期限が含まれており、
前記ナビゲーション装置は、前記有効期限内の情報を前記情報センタから受信する
ことを特徴とするナビゲーション装置の情報受信方法。
【請求項１２】
請求項２において、
前記放送局は、前記番組特定情報を前記地上波デジタル放送受信機に向けて送信するとともに、放送内容に関連しかつ前記ナビゲーション装置の処理で用いられる情報を前記情報センタに送信し、
前記地上波デジタル放送受信機は、前記放送局から受信した番組特定情報を、前記ナビゲーション装置に受け渡す
ことを特徴とするナビゲーション装置の情報受信方法。
【請求項１３】
請求項２から１０までのいずれか一項において、
前記地上波デジタル放送受信機は、着脱可能な情報記録媒体を介して、前記ナビゲーション装置に前記番組特定情報を受け渡す
ことを特徴とするナビゲーション装置の情報受信方法。
【請求項１４】
ナビゲーション装置は、地上波デジタル放送の内容に関連する情報であって前記ナビゲーション装置の処理に用いられる情報を保持する情報センタに、放送局と放送日時を特定する情報を送信し、
前記情報センタにより当該情報センタが保持する情報の中から抽出され送信された、前記番組特定情報により特定される番組の内容に関する情報であって前記ナビゲーション装置の処理に用いられる情報を受信する
ことを特徴とするナビゲーション処理の情報受信方法。
【請求項１５】
ナビゲーション装置は、地上波デジタル放送の内容に関連する情報であって前記ナビゲーション装置の処理に用いられる情報を保持する情報センタに、放送局と放送日時を特定する番組特定情報を送信する手段を有し、
前記情報センタは、自己が保持する情報の中から、前記番組特定情報により特定される番組の内容に関する情報であって前記ナビゲーション装置の処理に用いられる情報を抽出し、抽出した情報を前記ナビゲーション装置に送信する手段を有し、
前記ナビゲーション装置は、さらに、前記情報センタから送信された情報を受信する手段を有する
ことを特徴とするナビゲーション装置の情報受信システム。
【請求項１６】
地上波デジタル放送の内容に関連する情報であってナビゲーション装置の処理に用いられる情報を保持する情報センタに、放送局と放送日時を特定する情報を送信する手段と、
前記情報センタにより当該情報センタが保持する情報の中から抽出され送信された、前記番組特定情報により特定される番組の内容に関する情報であって前記ナビゲーション装置の処理に用いられる情報を受信する手段と
を有することを特徴とするナビゲーション装置。
【発明の詳細な説明】
【技術分野】
【０００１】
本発明は、ナビゲーション装置に関し、特に車載用ナビゲーション装置の情報受信技術に関する。
【背景技術】
【０００２】
地上波デジタル放送の番組で、特定の店や場所が紹介されると、そこに行ってみたいというユーザのニーズが発生する。
【０００３】
かかるニーズに答えるべく、特許文献１に記載の技術では、テレビ受信機が、放送事業者から店の位置情報等を受信すると、受信した情報をメモリカードに記録する。メモリカードはユーザによりナビゲーション装置に移される。そして、ナビゲーション装置は、メモリカードに記憶された情報を読み取り、読み取った店の位置情報等から目的地を設定してナビゲーション処理を行う。こうして、放送番組で紹介された店等への誘導を可能としている。
【０００４】
【特許文献１】特開２００２−２２１４２４号公報
【発明の開示】
【発明が解決しようとする課題】
【０００５】
しかし、地上波デジタル放送から得た店の情報（住所、電話番号、緯度・経度、画像）等を、全てメモリカードに記録するのでは、多くの記憶容量が必要となる。例えば、レストラン紹介番組では、一つの番組に多くの店が紹介され、その情報量は多い。特許文献１には、メモリカードを介さずに、通信により情報を授受するようにした実施形態が記載されているが、この場合でも、テレビ受信機からナビゲーション装置に多量の情報を送信しなければならない。
【０００６】
本発明は上記事情に鑑みてなされたものであり、本発明の目的は、放送された番組に関しかつナビゲーション装置の処理に用いられる情報を効率よく取得することにある。
【課題を解決するための手段】
【０００７】
上記課題を解決するために、本発明のナビゲーション装置の情報受信システムにおいては、放送局とは別に情報センタが設けられている。そして、情報センタは、放送局から放送された番組に関する情報で、かつナビゲーション装置の処理に用いられる情報（役立つ情報）を、放送局と放送日時に対応させて保持する。
【０００８】
具体的には、ナビゲーション装置は、地上波デジタル放送の内容に関連する情報であってナビゲーション装置の処理に用いられる情報を保持する情報センタに、放送局と放送日時を特定する番組特定情報を送信する。前記情報センタは、自己が保持する情報の中から、前記番組特定情報により特定される番組の内容に関する情報でかつナビゲーション装置の処理に用いられる情報を抽出し、抽出した情報を前記ナビゲーション装置に送信する。前記ナビゲーション装置は、前記情報センタから送信された情報を受信する。
【０００９】
また、地上波デジタル放送受信機が、地上波デジタル放送の番組を特定する番組特定情報を、ナビゲーション装置に受け渡すようにしてもよい。そして、ナビゲーション装置は、前記情報センタに、前記地上波デジタル放送受信機から受け渡された前記番組特定情報を送信するようにしてもよい。
【発明の効果】
【００１０】
本発明によれば、ナビゲーション装置は、ナビゲーション処理に用いる情報を効率よく取得できる。
【発明を実施するための最良の形態】
【００１１】
以下に、本発明の実施の形態を説明する。
【００１２】
図１は、本発明の一実施形態が適用された車載用ナビゲーション装置の情報受信システムの概略構成図である。図示するように、本実施形態の情報受信システムは、地上波デジタル放送信号を送信する放送局３００と、放送局３００から放送される地上波デジタル放送を受信する地上波デジタル放送受信機２００と、車載用ナビゲーション装置１００と、放送局３００から入手した情報を車載用ナビゲーション装置１００に送信する情報センタ４００とを有する。
【００１３】
地上波デジタル放送受信機２００と車載用ナビゲーション装置１００との間の情報の授受はメモリカード５００を介して行われる。なお、本実施形態では、ＩＣカード、磁気カード等のメモリカード５００を使用した形態について説明するが、必要な情報を記録することができる情報記録媒体であれば、その記録方式、形状に制限はない。
【００１４】
図２は、地上波デジタル放送受信機２００の概略構成図である。図示するように、地上波デジタル放送受信機２００は、アンテナ２１０と、放送波受信機２２０と、ＡＶコントローラ２３０と、入力装置２４０と、情報記録装置２５０と、スピーカ２６０と、ディスプレイ２７０とを有する。
【００１５】
放送波受信機２２０は、アンテナ２１０で受信した地上波デジタル信号からデジタル音響信号、デジタル映像信号及びその他の付加データ信号を復元し、ＡＶコントローラ２３０に出力する。図示するように、放送波受信機２２０は、チューナ２２１と、ＯＦＤＭ（Orthogonal Frequency Division Multiplexing）復調部２２２と、ＤＥＭＵＸ（分離部）２２３と、デコーダ２２４と、を有する。
【００１６】
チューナ２２１は、アンテナ２１０で受信した地上波デジタル放送信号から、入力装置２４０を介してユーザより指定されたチャンネルを選局する。ＯＦＤＭ復調部２２２は、チューナ２２１で選局されたチャンネルのＯＦＤＭ変調信号をＯＦＤＭ復調してＴＳ（Transport Stream）を出力する。ＤＥＭＵＸ２２３は、ＯＦＤＭ復調部２２２から出力されたＴＳを放送コンテンツの符号化音響データ及び符号化映像データに分離する。このとき、ＤＥＭＵＸ２２３は、ＴＳに付加データの符号化データが含まれている場合は、この付加データの符号化データも分離する。デコーダ２２４は、ＤＥＭＵＸ２２３から出力された符号化音響データ又は符号化映像データをデコードし、デジタル音響信号又はデジタル映像信号をＡＶコントローラ２３０へ出力する。また、デコーダ２２４は、ＤＥＭＵＸ２２３から付加データの符号化データが出力された場合は、これをデコードし、デコードした付加データをＡＶコントローラ２３０に出力する。
【００１７】
ＡＶコントローラ２３０は、放送波受信機２２０から出力されたデジタル映像信号又はデジタル映像信号をスピーカ２６０又はディスプレイ２７０に出力する。図示するように、ＡＶコントローラ２３０は、主制御部２３１と、番組情報処理部２３２と、音響処理部２３３と、描画処理部２３４とを有する。
【００１８】
主制御部２３１は、各処理部を制御する。
【００１９】
番組情報処理部２３２は、主制御部２３１の指示に従って、付加データから番組情報を作成し、情報記録装置２５０を介してメモリカード５００に記録する。
【００２０】
音響処理部２３２は、主制御部３５の指示に従い、デジタル音響信号をスピーカ２６０に出力する。描画処理部２３３は、主制御部３５の指示に従い、デジタル描画信号をディスプレイ２７０に出力する。
【００２１】
図３は、車載用ナビゲーション装置１００の概略構成図である。図示するように、車載用ナビゲーション装置１００は、演算処理部１と、ディスプレイ２と、地図データ記憶装置３と、音声入出力装置４と、入力装置５と、車輪速センサ６と、地磁気センサ７と、ジャイロセンサ８と、ＧＰＳ(Global Positioning System)受信装置９と、通信装置１０、メモリカード読書装置１１とを有する。
【００２２】
演算処理部１は、様々な処理を行う中心的ユニットである。例えば各種センサ６〜８やＧＰＳ受信装置９から出力される情報を基にして現在地を検出し、得られた現在地情報に基づいて、表示に必要な地図データを地図データ記憶装置３から読み出す。また、読み出した地図データをグラフィックス展開し、そこに現在地を示すマークを重ねてディスプレイ２へ表示する。また、地図データ記憶装置３に記憶されている地図データを用いて、ユーザから指示された目的地と現在地（出発地）とを結ぶ最適な経路（推奨経路）を探索し、音声入出力装置４やディスプレイ２を用いてユーザを誘導する。
【００２３】
ディスプレイ２は、演算処理部１で生成されたグラフィックス情報を表示するユニットで、ＣＲＴや液晶ディスプレイなどで構成される。また、演算処理部１とディスプレイ２との間の信号Ｓ１は、ＲＧＢ信号やＮＴＳＣ（National Television System Committee）信号で接続するのが一般的である。
【００２４】
地図データ記憶装置３は、ＣＤ-ＲＯＭやＤＶＤ-ＲＯＭやＨＤＤやＩＣカードといった記憶媒体で構成されている。この記憶媒体には、地図データが記憶されている。地図データは、道路を構成する各リンクのリンクデータ、特定の地点（例えば、目印になりうる地点）について、その地点の名称、座標情報等が含まれている。
【００２５】
音声入出力装置４は、演算処理部１で生成したユーザへのメッセージを音声信号に変換し出力すると共に、ユーザが発した声を認識し演算処理部１にその内容を転送する処理を行う。
【００２６】
入力装置５は、ユーザからの指示を受け付けるユニットで、スクロールキー、縮尺変更キーなどのハードスイッチ、ジョイスティック、ディスプレイ上に貼られたタッチパネルなどで構成される。
【００２７】
センサ６〜８およびＧＰＳ受信装置９は、車載用ナビゲーション装置で現在地（自車位置）を検出するために使用するものである。
【００２８】
通信装置１０は、情報センタ４００との間の情報の授受を仲介する。
【００２９】
メモリカード読書装置１１は、メモリカード５００が挿入可能に構成され、メモリカード５００に記録された情報を読み取り演算装置１に送信するとともに、演算装置１からの指示に従って、記録内容の削除、変更等を行う。
【００３０】
図４は、演算処理部１のハードウェア構成例を示す図である。
【００３１】
図示するように、演算処理部１は、各デバイス間をバス３２で接続した構成としてある。演算処理部１は、数値演算及び各デバイスを制御するといった様々な処理を実行するＣＰＵ(Central Processing Unit)２１と、地図データ記憶装置３から読み出した地図データや演算データなどを格納するＲＡＭ(Random Access Memory)２２と、プログラムやデータを格納するＲＯＭ(Read Only Memory)２３と、メモリ間およびメモリと各デバイスとの間のデータ転送を実行するＤＭＡ（Direct Memory Access）２４と、グラフィックス描画を実行し且つ表示制御を行う描画コントローラ２５と、グラフィックスイメージデータを蓄えるＶＲＡＭ(Video Random Access Memory)２６と、イメージデータをＲＧＢ信号に変換するカラーパレット２７と、アナログ信号をデジタル信号に変換するＡ/Ｄ変換器２８と、シリアル信号をバスに同期したパラレル信号に変換するＳＣＩ(Serial Communication Interface)２９と、パラレル信号をバスに同期させてバス上にのせるＰＩＯ(Parallel Input/Output)３０と、パルス信号を積分するカウンタ３１と、を有する。
【００３２】
図５は、演算処理部１の主な機能構成を示す図である。
【００３３】
図示するように、演算処理部１は、ユーザ操作解析部１０１と、ナビ処理部１０２と、通信処理部１０３と、表示処理部１０４とを有する。
【００３４】
ユーザ操作解析部１０１は、入力装置５に入力されたユーザからの要求を受け、その要求内容を解析して、その要求内容に対応する処理が実行されるように演算処理部１の各部を制御する。
【００３５】
ナビ処理部１０１は、各種センサ６〜９から現在位置を求め、現在位置（出発地）から目的地までの経路を探索するなどの、ナビゲーション処理を行う。
【００３６】
通信処理部１０３は、車載用ナビゲーション装置１００と情報センタ３００との間の情報の授受に関する処理を行う。
【００３７】
表示処理部１０４は、表示が要求される情報がディスプレイ２に表示されるようにコマンド生成する。
【００３８】
図１に戻って、車載用ナビゲーション装置１００が、情報センタ３００から情報を受信するまでの流れを説明する。
【００３９】
まず、放送局３００は、地上波デジタル放送信号を送信する（Ｓ１００）。
【００４０】
図６は、放送局３００が送信する情報（放送情報Ａ１００）の構成を示す図である。図示するように、放送情報Ａ１００には、映像データＡ１０１及び音声データＡ１０２が含まれているが、本実施形態では、さらに、付加データＡ１０３が含まれている。
【００４１】
付加データＡ１０３は、図示するように、その放送番組の放送局情報Ａ１０３１、放送日時（時間帯）情報Ａ１０３２、番組名情報Ａ１０３３、有効期限情報Ａ１０３４等を含む。放送日時情報Ａ１０３２は、その番組が放送される日時の情報である。有効期限情報Ａ１０３４は、車載用ナビゲーション装置１００が情報センタ４００に情報の送信要求をする場合の有効期限の情報である。詳しくは後述する。
【００４２】
なお、付加データＡ１０３は、放送内容に、ナビゲーション処理で用いられる情報（若しくはナビゲーション処理に役立つ情報）が含まれている場合に送信されるようにしてもよい。ここで、ナビゲーション処理に用いられる情報とは、ナビゲーション処理において、目的地や目印となりうる地点（地域）の情報や、案内に用いられる情報等である。例えば、店、ホテル、レストランなどの特定の地点（地域）に関する情報や、祭りなどのイベントに関する情報である。
【００４３】
次に、地上波デジタル放送受信機２００の処理について説明する。地上波デジタル放送受信機２００が、放送信号を受信すると、放送波受信機２２０は、受信した放送波の中から、ユーザにより選局された放送局の放送信号をデコードした後、ＡＶコントローラ２３０に出力する。
【００４４】
ＡＶコントローラ２３０は、音声信号及び映像信号をスピーカ２６０及びディスプレイ２７０に出力する。
【００４５】
一方、放送波受信機２２０から出力された信号に付加データＡ１０３が含まれている場合、主制御部２３１は、付加データＡ１０３から番組情報Ａ２００を作成し、作成した番組情報Ａ２００をメモリカード５００に記録するように番組情報処理部２３２に指示する。
【００４６】
これを受けて、番組情報処理部２３２は、付加データＡ１０３の中から、放送局情報Ａ１０３１、放送日時情報Ａ１０３２、番組名情報Ａ１０３３、有効期限情報Ａ１０３４を抽出して、図７に示すように、番組情報Ａ２００を作成する。そして、情報記録装置２５０を介してメモリカード５００に記録する（Ｓ１１０）。
【００４７】
なお、番組情報処理部２３２は、既に同じ番組情報Ａ２００がメモリカード５００に記録してある場合、再度記録することを要しない。
【００４８】
こうしてメモリカード５００には、番組情報Ａ２００が蓄積される。
【００４９】
一方、放送局３００は、放送内容にナビゲーションに用いることができる情報が含まれる場合、その情報に関する情報を情報センタ４００に送信する（Ｓ１０５）。
【００５０】
図８は、放送局３００から情報センタ４００に送信される情報（コンテンツ情報Ａ３００）の構成を示す図である。
【００５１】
図示するように、コンテンツ情報Ａ３００には、番組単位の放送日時Ａ３０２ごとに、番組中の時間帯Ａ３０３とその時間帯に登場する店、場所等に関連するナビゲーション処理に用いられる情報Ａ３０４が含まれている。ここで、ナビゲーション処理に用いられる情報としては、店・場所の名称；住所、電話番号、緯度・経度等の位置情報；その店・場所周辺の渋滞情報；その店・場所の画像情報等が挙げられる。以下では、主に、位置情報が含まれている場合について説明する。
【００５２】
情報センタ４００は、放送局３００ごとに、コンテンツ情報Ａ３００を受信するので、情報センタ４００の記憶装置には、放送局３００ごとのコンテンツ情報Ａ３００が蓄えられることになる。
【００５３】
すなわち、情報センタ４００に蓄積されたコンテンツ情報Ａ３００を参照して、放送局と放送時間帯をキーとして検索すれば、その放送時間帯の番組で放送された店、場所等の位置情報Ａ３０４が得られることになる。
【００５４】
次に、車載用ナビゲーション装置１００が情報センタ４００から情報を受信する処理（Ｓ１３０、Ｓ１４０）について説明する。
【００５５】
なお、上述のように、メモリカード５００は、地上波デジタル放送受信機２００の情報記録装置２５０から抜き差し可能に構成されている。したがって、番組情報Ａ２００が蓄積されたメモリカード５００は、ユーザにより地上波デジタル放送受信機２００から外され、車載用ナビゲーション装置１００のメモリカード読書装置１１に挿入される。
【００５６】
図１０は、車載用ナビゲーション装置１００が情報センタ４００から情報を受信する処理の流れを示すフロー図である。
【００５７】
このフローは、車載用ナビゲーション装置１００の電源投入時若しくはユーザからの要求に応じて開始される。
【００５８】
まず、通信処理部１０３は、キー情報Ａ４００を作成する（Ｓ２０２）。キー情報Ａ４００は、情報センタ４００において、車載用ナビゲーション装置１００に送信する情報をコンテンツ情報Ａ３００から検索するために用いられる情報である。
【００５９】
具体的には、通信処理部１０３は、ユーザから番組の選択を受け付け、受け付けた番組についてキー情報Ａ４００を作成する。
【００６０】
このとき、通信処理部１０３は、図１１に示すように、番組選択受付画面５０１をディスプレイ２に表示処理部１０４を介して表示する。すなわち、通信処理部１０３は、メモリカード５００に記録されている番組情報Ａ２００から番組名情報Ａ２０３を抽出し、５０４のようにディスプレイ２にリスト表示する。このとき、ユーザの理解の容易のため、放送日時情報Ａ２０２を参照して、放送日時を表示するようにしてもよい。
【００６１】
なお、通信処理部１０３は、有効期限情報Ａ２１０を参照して、有効期限が過ぎている番組については、画面にリスト表示しない。または、通信処理部１０３は、有効期限が過ぎている番組情報Ａ２００を、メモリカード５００から削除するようにメモリカード読書装置１１に指示するようにしてもよい。こうすれば、古い情報を受信してしまうことを回避できる。
【００６２】
また、画面５０１では、画面上に選択アイコン５１０が表示され、ユーザは希望の番組を選択できるようになっている。また、ボタン５０２により、メモリカード５００に記録された全ての番組を選択できるようになっている。
【００６３】
通信処理部１０３は、入力装置５を介して番組の選択を受け付ける。そして、ユーザにより選択された番組の放送局情報Ａ２０１、放送日時情報Ａ２０２を番組情報Ａ２００から抽出し、図９に示しように、キー情報Ａ４００を作成する。
【００６４】
そして、通信処理部１０３は、作成したキー情報Ａ４００を、情報センタ４００に送信する。また、キー情報Ａ４００を基にコンテンツ情報Ａ３００から必要な情報を抽出し、抽出した情報を車載用ナビゲーション装置に送信するように情報センタ４００に要求する。（Ｓ２０４）。
【００６５】
情報センタ４００は、車載用ナビゲーション装置１００からキー情報Ａ４００を受信すると、車載用ナビゲーション装置１００に送信する情報を作成する。
【００６６】
具体的には、蓄積しているコンテンツ情報Ａ３００を参照して、キー情報Ａ３００に含まれる放送局情報Ａ４０１及び放送日時情報Ａ４０２で特定される店や場所の位置情報Ａ３０４を抽出する。
【００６７】
そして、抽出した特定地点の位置情報Ａ３０４を車載用ナビゲーション装置１００に送信する。
【００６８】
車載用ナビゲーション装置１００の通信処理部１０３は、情報センタ４００からの情報を受信する。そして、受信した特定地点の位置情報Ａ３０４を、地図データ記憶装置３に記憶させる。
【００６９】
こうして、地図データ記憶装置３に記憶された特定の地点の情報は、各種のナビゲーション処理に利用されることになる。
【００７０】
例えば、ナビ処理部１０２は、経路探索の目的地設定における地点検索において、情報センタ４００から受信した特定の地点の位置情報を利用する（Ｓ２１０）。すなわち、ユーザから地点検索の要求がなされると、ナビ処理部１０２は、図１２に示すように、ディスプレイ２に地点検索画面６０１を表示処理部１０４を介して表示する。
【００７１】
地点検索画面６０１には、図示するように、「お気に入りから」、「登録地から」、「住所から」等の地点を検索するモード６０２のほかに、地上波デジタル放送の番組で紹介された地点、地域等から検索するモード６０３が表示される。
【００７２】
そして、ナビ処理部１０２は、いずれかのモードの選択を受け付ける。地上波デジタル放送の番組で紹介された地点、地域等から検索するモード６０３が選択された場合、ナビ処理部１０２は、地図データ記憶装置３に記憶されている情報の中から、情報センタ４００から受信した情報（地上波デジタル放送の番組で紹介された店等の情報）を抽出し、ディスプレイ２にリスト６０３にして表示する。
【００７３】
また、ナビ処理部１０２は、選択アイコン６０５を表示し、検索目的の地点の選択を受け付ける。このとき、情報センタ４００から受信した情報に地点の画像情報（動画情報）が含まれている場合は、その画像を表示するようにしてもよい。また、どの番組で紹介されたかの情報６０４を表示してもよい。
【００７４】
特定の地点が選択されると、ナビ処理部１０２は、その地点を目的地に設定するなどして、現在位置からの経路を探索する。そして、探索した経路を用いて経路誘導を行う。
【００７５】
以上、本発明の一実施形態について説明した。
【００７６】
上記実施形態によれば、車載用ナビゲーション装置は、効率よく情報の受信を行うことができる。
【００７７】
すなわち、車載用ナビゲーション装置１００は、番組で紹介された店の位置情報等の詳細を、地上波デジタル放送受信機２００からではなく、ナビゲーション処理用の情報を保持する情報センタ４００から受信する。したがって、ナビゲーション処理に用いられない無駄な情報を受信するという不都合を回避できる。
【００７８】
また、キー情報Ａ４００は、ユーザが選択した番組に基づいて作成される。したがって、ユーザの要求に関連した情報のみを情報センタ４００から受信することができる。
【００７９】
また、店の住所等の詳細情報を放送事業者が有していても、実際の放送では、店の外観、メニューの内容のみしか放送されない場合がある。この場合、放送された情報のみからでは、ナビゲーションに必要な店の位置情報が取得できず、その店に行ってみたいと思うユーザのニーズに答えられない。上記実施形態によれば、放送局３００は、店の詳細な位置情報を情報センタ４００に送信しておく。そして、車載用ナビゲーション装置１００は、情報センタ４００から店の詳細な位置情報を受信する。したがって、放送では詳細な情報が得られない場合でも、放送された店に行ってみたいというユーザのニーズに答えることができる。
【００８０】
上記実施形態は、本発明の要旨の範囲で様々な変形が可能である。
【００８１】
上記実施形態では、メモリカード５００の番組情報Ａ１０３には、放送局情報Ａ１０３１、放送日時情報Ａ１０３２、番組名情報Ａ１０３３及び有効期限情報Ａ１０３４が含まれるようにしている。これに限らず、その番組表示中にユーザが番組をチェックした場合、その旨の情報を含ませるようにしてもよい。
【００８２】
かかる実施形態においては、主制御部２３０は、放送番組が地上波デジタル放送受信機２００のディスプレイ２７０に表示されている間に、入力装置２４０を介して、ユーザからチェック指示を受け付ける。そして、チェックされた場合、主制御部２３０は、チェックがあった旨の情報Ａ２０４を番組情報Ａ２００に追加してメモリカード５００に記録する。図１４は、かかる場合のメモリカード５００に記録された番組情報Ａ２００の構成図である。
【００８３】
図１３は、地上波デジタル放送受信機２００のディスプレイ２７０に、レストラン紹介の番組４０２が表示されている場合に、ユーザからチェック指示を受け付けたときの画面４０１である。図示するように、「この番組をチェックしました」等のメッセージを表示するようにしている。
【００８４】
また、車載用ナビゲーション装置１００がキー情報Ａ４００を作成する際に表示する番組選択受付画面５０１には、図１５に示すように、ユーザが番組のチェックをしたか否かを判別できるような表示をするようにしてもよい。
【００８５】
具体的には、通信処理部１０３は、番組情報Ａ２００のチェック情報Ａ２０４を参照して、図１５のチェックの有無を示す表示６０５を行う。
【００８６】
このようにすれば、ユーザが番組を選択する際、特に気になった店等が放送された番組を容易に思い出せる。そして、その店等の位置情報に絞って、情報センタ４００から情報を受信することができる。
【００８７】
また、チェックされた時刻もメモリカード５００に記録するようにしてもよい。そして、車載用ナビゲーション装置１００の通信処理部１０３は、チェックされた時刻を含めたキー情報Ａ４００を、情報センタ４００に送信するようにしてもよい。そして、情報センタ４００は、放送日時情報Ａ３０３を参照して、チェックされた時刻に放送された店の位置情報Ａ３０４を抽出し、車載用ナビゲーション装置１００に送信するようにしてもよい。
【００８８】
こうすれば、車載用ナビゲーション装置１００は、ユーザが興味を持った店等の情報のみを情報センタ４００に要求し、受信することになるので、受信効率が向上する。すなわち、番組単位ではなく、コンテンツ単位で情報の受信ができる。
【００８９】
また、上記実施形態では、放送信号の中の付加データから作成した番組情報Ａ２００の全てを、メモリカード５００に記録するようにしている。これに限らず、選択された番組情報Ａ２００のみをメモリカード５００に記録するようにしてもよい。
【００９０】
例えば、主制御部２３１は、予めユーザにより入力装置２４０を介して設定された番組、放送時間帯、コンテンツに関する番組の番組情報Ａ２００のみをメモリカード５００に記録するようにする。
【００９１】
こうすれば、旅行番組、料理番組など、ユーザの好みの番組の番組情報Ａ２００のみをメモリカード５００に記録するようにできるので、記憶容量を抑制できる。また、キー情報を作成する際の番組の選択受付画面において、ユーザの好みに絞られた番組がリスト表示されることになるので、ユーザにとって、選択が容易となる。
【００９２】
また、主制御部２３１は、ユーザによりチェックされた番組の番組情報Ａ２００のみをメモリカードに記録するようにしてもよい。このようしても、メモリカード５００に記録される記憶容量をより抑制できる。
【００９３】
また、主制御部２３１は、メモリカード５００の記憶容量が一杯になったら（若しくは所定の記憶容量を越えたら）、古い情報から順に消去するようにしてもよい。また、ユーザによりチェックされていない番組の番組情報Ａ２００を、古い順に消去するようにしてもよい。
【００９４】
また、上記実施形態では、キー情報Ａ４００を作成する際、通信処理部１０３は、メモリカード読書装置１１を介して、メモリカード５００の番組情報Ａ２００を読取るようにしている。これに限らず、メモリカード５００の記録内容を予め地図データ記憶装置９に読み込んでおいてもよい。そして、通信処理部１０３は、キー情報Ａ４００を作成する際、地図データ記憶装置９から番組情報Ａ２００を読取るようにしてもよい。例えば、メモリカード５００がメモリカード読書装置１１に挿入されると、自動的に、若しくはユーザの要求に応じて、記録内容を読み取り、地図データ記憶装置９に記憶させるようにすることができる。
【００９５】
また、上記実施形態では、メモリカード５００を介して地上波デジタル放送受信機２００と車載用ナビゲーション装置１００との間の情報の授受を行っている。これに限らず、有線あるいは無線の通信ネットワークを介して情報を授受するようにしてもよい。
【００９６】
例えば、地上波デジタル放送受信機２００をユーザの家の中に設置し、無線ＬＡＮを経由して、車載用ナビゲーション装置１００に番組情報を送信するようにしてもよい。また、車載用ナビゲーション装置の通信処理部１０３が地上波デジタル放送受信機２００に対して番組情報Ａ２００を要求するようにしてもよい。
【００９７】
また、上記実施形態では、放送局３００から送信される放送情報Ａ１００の付加データＡ１０３には、放送局情報Ａ１０３１、放送日時情報Ａ１０３２、番組名情報Ａ１０３３及び有効期限情報Ａ１０３４が含まれている。これに限らず、付加データＡ１０３は、これらのうちのいずれかを含まないものであってもよい。例えば、放送局情報Ａ１０３１が含まれていない場合、地上波デジタル放送受信機２００の主制御部２３１がチューナ２２１の設定から放送局を判断し、番組情報Ａ２００の放送局情報Ａ２０１を作成するようにしてもよい。また、放送日時情報Ａ１０３２が含まれていない場合、主制御部２３１が自己のタイマから放送日時を判断し、番組情報Ａ２００の放送日時情報Ａ２０２を作成するようにしてもよい
なお、地上波デジタル放送受信機２００の放送波受信機２２０とＡＶコントローラ２３０とは一つの筐体に収められているものであってもよい。また、上記の実施形態を車載に搭載する場合、ＡＶコントローラ２３０は、例えばナビゲーション装置に組み込まれているものであってもよい。
【００９８】
また、地上波デジタル放送受信機２００と、車載用ナビゲーション装置１００とが、一の筐体に一体に設けられていても良い。そして、ＣＰＵ、メモリ、入出力装置等のハードウエア資源を共有するものであってもよい。
【００９９】
また、ナビゲーション装置は、車載用ナビゲーション装置であってもよいし、車載用以外のナビゲーション装置であってもよい。
【図面の簡単な説明】
【０１００】
【図１】図１は本発明の一実施形態が適用された車載用ナビゲーション装置の情報受信システムの概略構成図である。
【図２】図２は地上波デジタル放送受信機の概略構成図である。
【図３】図３は車載用ナビゲーション装置の概略構成図である。
【図４】図４は車載用ナビゲーション装置のハードウエア構成の概略構成図である。
【図５】図５は車載用ナビゲーション装置の演算装置の機能構成図である。
【図６】図６は放送局から地上波デジタル放送受信機へ送信される放送情報の構成を示す図である。
【図７】図７はメモリカードに記録される番組情報の構成を示す図である。
【図８】図８は放送局から情報センタに送信されるコンテンツ情報の構成を示す図である。
【図９】図９は車載用ナビゲーション装置から情報センタに送信されるキー情報の構成を示す図である。
【図１０】図１０は車載用ナビゲーション装置と情報センタの処理の流れを示すフロー図である。
【図１１】図１１はキー情報を作成する番組の選択受付画面の表示例である。
【図１２】図１２は地点検索の際の画面の表示例である。
【図１３】図１３は番組放送中にユーザにチェックされた場合の画面の表示例である。
【図１４】図１４は番組のチェック情報を含む番組情報の構成を示す図である。
【図１５】図１５はキー情報を作成する番組の選択受付画面の表示例である。
【符号の説明】
【０１０１】
１００・・・車載用ナビゲーション装置、２００・・・地上波デジタル放送受信機、３００・・・放送局、４００・・・情報センタ、５００・・・メモリカード、
２１０・・・アンテナ、２２０・・・放送波受信機、２２１・・・チューナ、２２２・・・ＯＤＦＭ復調部、２２３・・・ＤＥＭＵＸ、２２４・・・デコーダ、２３０・・・ＡＶコントローラ、２３１・・・主制御部、２３２・・・番組特定情報処理部、２３３・・・音響処理部、２３５・・・描画処理部、
２４０・・・入力装置、２５０・・・情報記録装置、２６０・・・スピーカ、２７０・・・ディスプレイ、
１・・・演算処理部、２・・・ディスプレイ、３・・・地図データ記憶装置、４・・・音声出入力装置、５・・・入力装置、６・・・車輪速センサ、７・・・地磁気センサ、８・・・ジャイロ、９・・・ＧＰＳ受信機、１０・・・通信装置、１１・・・メモリカード読書装置、２１・・・ＣＰＵ、２２・・・ＲＡＭ、２３・・・ＲＯＭ、２４・・・ＤＭＡ、２５・・・描画コントローラ、２６・・・ＶＲＡＭ、２７・・・カラーパレット、２８・・・Ａ/Ｄ変換器、２９・・・ＳＣＩ、３０・・・ＰＩＯ、３１・・・カウンタ、１０１・・・ユーザ操作解析部、１０２・・・ナビ処理部、１０３・・・通信処理部、１０４・・・表示処理部
【図１】
2005351738.tif 000003
【図２】
2005351738.tif 000004
【図３】
2005351738.tif 000005
【図４】
2005351738.tif 000006
【図５】
2005351738.tif 000007
【図６】
2005351738.tif 000008
【図７】
2005351738.tif 000009
【図８】
2005351738.tif 000010
【図９】
2005351738.tif 000011
【図１０】
2005351738.tif 000012
【図１１】
2005351738.tif 000013
【図１２】
2005351738.tif 000014
【図１３】
2005351738.tif 000015
【図１４】
2005351738.tif 000016
【図１５】
2005351738.tif 000017